(57)【要約】縦方向と横方向を持ちかつカバー（１０２，１０３）内に収容された吸収体（１０４）を含む吸収性物品であって、カバー（１０２，１０３）が流体透過性表面（１０２）と流体不透過性表面（１０３）を持ち、更に吸収体（１０４）が第一切断縁（１２６）と第二切断縁（１２７）を持つ貫通スリットを示す少なくとも一つの吸収層（１２４）を含む。吸収層はスリットに対して本質的に直角な方向に二つの切断縁（１２６，１２７）の両側の材料が移動され、かつその移動した位置に固定されることにより形状付与される。この発明はまた、貫通スリット（９２５）を持ち、その切断縁が一緒にまたは離れるように動かされている形状付与された吸収層を製造する方法に関する。【選択図】図１
2004533307.tif 000002
【特許請求の範囲】
【請求項１】
縦方向と横方向を持ち、かつカバー（１０２，１０３）内に収容された吸収体（１０４）を含む吸収性物品であって、更にカバー（１０２，１０３）が流体透過性表面（１０２）と流体不透過性表面（１０３）を持ち、更に吸収体（１０４）が第一切断縁（１２６）と第二切断縁（１２７）を持つ貫通スリットを示す少なくとも一つの吸収層（１２４）を含むものにおいて、二つの切断縁（１２６，１２７）の両側の材料がスリットに対して本質的に直角の方向に移動されかつこの移動した位置に固定されることにより吸収層が形状付与されることを特徴とする吸収性物品。
【請求項２】
二つの切断縁は、弓状であり、二つの切断縁が物品の縦方向に本質的に平行に走るような態様で互いに向けて移動され、その結果として吸収層（１２４）が平面で砂時計形状に変形され、空間的に曲げられることを特徴とする請求項１に記載の吸収性物品。
【請求項３】
移動が第一切断縁（１２６）に沿って位置する第一領域（１３０）が第二切断縁（１２７）に沿って位置する第二領域（１３１）と重複するような態様で実施され、重複領域（１２９）が少なくとも一つの弓状に曲がった縁を持つことを特徴とする請求項１に記載の吸収性物品。
【請求項４】
吸収層（１２４）が第一スリットに本質的に平行な第二スリットを少なくとも示し、更に各スリットが第一切断縁（５２６′，５２６′′）と第二切断縁（５２７′，５２７′′）を示し、これらの切断縁が互いに関して吸収層（５２４）が各スリットに沿って少なくとも一つの重複領域（５２９）を示すような態様で対として変位され、更に各スリットに沿った重複領域が弓状に曲がった縁を持つことを特徴とする請求項３に記載の吸収性物品。
【請求項５】
重複領域が吸収層（７２４）の三つの重複層を持つ領域（７６５）を形成することを特徴とする請求項４に記載の吸収性物品。
【請求項６】
重複領域（１３０，１３１）が互いに固定されていることを特徴とする請求項３−５のいずれか一つに記載の吸収性物品。
【請求項７】
切断縁（１８２７）が移動前は弓状であり、吸収層（１８２４）に、スリットにより形成された開口（１８２５）を画定することを特徴とする請求項１に記載の吸収性物品。
【請求項８】
吸収層から除去された切り抜き部分（１８２９）が重複部（１８２６）を構成する吸収層（１８２４）に対して置かれる部分を持つように吸収層（１８２４）に適用されることを特徴とする請求項７に記載の吸収性物品。
【請求項９】
物品が二つの端部（１０６，１０７）と、これら端部（１０６，１０７）間に位置した股部（１０８）を示し、この股部が端部（１０６，１０７）より小さな横方向の延長部を持ち、更にスリットが少なくとも主として股部（１０８）に配置されていることを特徴とする請求項１から８のいずれか一つに記載の吸収性物品。
【請求項１０】
スリットが物品の縦方向に延びることを特徴とする請求項１から９のいずれか一つに記載の吸収性物品。
【請求項１１】
切断縁が互いに関して変位され、更に相互に変位された切断縁（１２６，１２７）が互いから０−２０ｍｍの最大距離に位置していることを特徴とする請求項１から１０のいずれか一つに記載の吸収性物品。
【請求項１２】
吸収層（１２４）が安定化手段により予め決められた形状に固定されることを特徴とする請求項１から１１のいずれか一つに記載の吸収性物品。
【請求項１３】
安定化手段が吸収層（１２４）にしっかりと取り付けられた安定化層（１２２）であることを特徴とする請求項１２に記載の吸収性物品。
【請求項１４】
安定化層（１２２）が吸収体（１０４）とカバーの流体透過性表面（１０２）との間の距離層を構成することを特徴とする請求項１３に記載の吸収性物品。
【請求項１５】
距離層（１２２）が多孔性流体受容層であることを特徴とする請求項１４に記載の吸収性物品。
【請求項１６】
安定化手段が吸収層（１２４）の一部である結合剤であることを特徴とする請求項１２に記載の吸収性物品。
【請求項１７】
結合剤が熱可塑性繊維からなることを特徴とする請求項１６に記載の吸収性物品。
【請求項１８】
安定化手段が接着剤であることを特徴とする請求項１２に記載の吸収性物品。
【請求項１９】
安定化手段が吸収層（１２４）の重複領域間の機械的固定を含むことを特徴とする請求項１２に記載の吸収性物品。
【請求項２０】
スリットが物品のカバーを通して延びることを特徴とする請求項１から１９のいずれか一つに記載の吸収性物品。
【請求項２１】
物品が流体透過性カバー層と流体不透過性カバー層を含み、更にスリットが流体透過性カバー層を通して延びることを特徴とする請求項１９に記載の吸収性物品。
【請求項２２】
吸収層（１２４）が０．２−１．０ｇ／ｃｍ３の密度を持つセルロースフラッフパルプの層であることを特徴とする請求項１から２１のいずれか一つに記載の吸収性物品。
【請求項２３】
物品が子供のためのおむつ（１０１）であり、スリットが１５−４０センチメートルの末端点（１３４，１３５）間の長さ（ｌ）を持つことを特徴とする請求項１から２２のいずれか一つに記載の吸収性物品。
【請求項２４】
物品が成人のためのおむつ（１０１）であり、スリットが２０−６０センチメートル、好ましくは約３０センチメートルの末端点（１３４，１３５）間の長さ（ｌ）を持つことを特徴とする請求項１から２２のいずれか一つに記載の吸収性物品。
【請求項２５】
物品が衛生ナプキン（７０１）または失禁保護体（３０１）であり、スリットが１０−４０センチメートル、好ましくは約１５センチメートルの末端点（３３４，３３５；７３４，７３５）間の長さ（ｌ）を持つことを特徴とする請求項１から２２のいずれか一つに記載の吸収性物品。
【請求項２６】
吸収層（１２４）が本質的に平坦な長方形素材から形成されることを特徴とする請求項１から２５のいずれか一つに記載の吸収性物品。
【請求項２７】
請求項１から２４のいずれか一つによる吸収性物品で用いるための吸収層（９２４）を製造する方法であって、更に吸収層（９２４）が少なくとも一つの貫通スリット（９２５）を備えており、かくして第一切断縁（９２６）と第二切断縁（９２７）を形成するものにおいて、スリット形成された吸収層（９２４）が凹状または凸状表面の上に導かれ、それにより切断縁（９２６，９２７）がスリット（９２５）に対して本質的に直角の方向に移動されることを特徴とする方法。
【請求項２８】
表面が凹状表面であり、それにより切断縁（９２６，９２７）が互いを越えて内向き方向に重複態様で移動され、それによりスリット（９２５）に沿って少なくとも一つの曲がった縁を持つ重複領域（９２９）が形成されることを特徴とする請求項２７に記載の方法。
【請求項２９】
凹状または凸状表面が回転ロール（９４１）上の表面であることを特徴とする請求項２７または２８に記載の方法。
【請求項３０】
凹状または凸状表面が折り曲げ板の上の表面であることを特徴とする請求項２７または２８に記載の方法。
【請求項３１】
吸収層（９２４）が連続的に走行するウェブ（９４０）で製造され、このウェブから個々の吸収層（９２４）が分離されることを特徴とする請求項２７から３０のいずれか一つに記載の方法。
【請求項３２】
スリット形成及びスリット（９２５）の各側に位置する領域（９３０，９３１）の移動後の、吸収層（９２４）の形状が安定化層と一緒に吸収層（９２４）を結合することにより固定されることを特徴とする請求項２７から３１のいずれか一つに記載の方法。
【請求項３３】
スリット形成及び重複後の吸収層（９２４）の形状が吸収層（９２４）の一部である結合剤の活性化により固定されることを特徴とする請求項２７から２９のいずれか一つに記載の方法。
【請求項３４】
結合剤が熱可塑性繊維を含み、吸収層（９２４）の形状が吸収層（９２４）の加熱及び続いての冷却により安定化されることを特徴とする請求項３３に記載の方法。
【発明の詳細な説明】
【０００１】
技術分野：
この発明は縦方向と横方向を持ち、かつカバー内に収容された吸収体を含む吸収性物品に関し、このカバーは流体透過性表面と流体不透過性表面を持ち、吸収体は第一切断縁と第二切断縁を持つ貫通スリットを示す少なくとも一つの吸収層を含む。
【０００２】
この発明はまた、この吸収性物品を製造する方法に関する。
【０００３】
背景技術：
おむつ、衛生ナプキン及び失禁保護体のような吸収性物品は使用者の生殖器領域からの体液を捕えて吸収することを意図している。物品が吸収することができなければならない流体量及び用途に依存して、もちろん種々の形状と寸法を持つ物品が存在する。例えば、重症の失禁成人のためのおむつは幼児のためのおむつより明らかに極めて大きくかつより大きな吸収容量を持つ。更に、十分な吸収容量と洩れ安全性に対する要求に加えて、物品は着用に対しても快適であることが要求される。また成人使用者に対しては物品が目立たず、通常の衣類の下に人目を引くことなく着用されることができることが重要である。
【０００４】
従って吸収性物品は排泄された体液を吸収するために十分な吸収容量を持つように設計されねばならないが、それらが着用するのに快適でありかつ柔軟でありかつそれらが使用者の身体にうまく適合して洩れを防ぐような良好な適合性を持たねばならない。使用者の股部領域に着用されることを意図した吸収性物品の形状付与における一つの困難性は使用者の脚間の空間が限定されていることである。これは着用するのが快適であるために、物品が使用者から放出された流体の大部分が物品に衝突するであろうところの領域で最も狭くなければならないことを意味する。従って、最初にぬれる物品の領域が流体で飽和され、たとえ物品の端部の吸収性材料の大部分が未使用のまま残っているとしても更なる放出された流体を吸収することができなくなるという明らかな危険がある。これは物品が流体の比較的少量を吸収したときでさえ洩れの危険が大きいことを意味する。従って、この種の吸収性物品の側縁を通過する流体の洩れを防ぐために、ある種の縁遮断壁を物品に備えるのが普通である。かかる縁遮断壁は弾力性があることが多く、流体流に対して立ち上がった物理的遮断壁を形成する。吸収性パンツとして着用される種類のおむつ及び失禁保護体において、使用者の脚の周りに締めつけられる弾性部材を配置することが普通であり、それにより物品の縁を脚と密封的に接触して保つ。
【０００５】
弾力性脚バンド及び立ち上がり遮断壁は、重い失禁のためのおむつ及び失禁保護体のような物品において、物品が物品の湿り領域内の十分な吸収容量を達成するために比較的幅広の股部を持つように形状付与されるという事実と通常組み合わされる。かかる股部領域は使用時に使用者の脚の間に一緒に折りたたまれるであろうし、または流体収集袋として脚間に吊り下げられるであろう。かかる形状付与は洩れを起こすランダム溝を作り、特に快適でなくまたは目立ち、かつ更に使用者が座るときにうまく機能しない。使用時に目立たないことに対する要求が特に大きい衛生ナプキン及び他の吸収性物品のためには、かかる不体裁で適応性のない構造は全く容認できない。また衛生ナプキン及び軽い失禁のための失禁保護体のような物品はむしろ小さく、自立的でなく、普通のパンツの内側に取り付けられ、それが使用時に物品を使用者の体と接触状態に保つ。従って垂れ下がったまたは一緒に折りたたまれた股部領域を持つ構造はこの範囲の物品に対しては全く有用性がない。
【０００６】
上記から明らかなように、良好な適合性、高い洩れ安全性及び初期ぬれ領域の高い吸収容量を持ち、かつ着用するのが目立たず、快適である、吸収性物品に対する要求がある。また例えば弾性部材の形の特別の形成要素または洩れ遮断壁を避けることができるような良好な適合性を持つ吸収性物品を提供することができることが望ましい。
【０００７】
発明の開示：
本発明において、縦方向と横方向を持ち、かつカバー内に収容された吸収体を含み、このカバーが流体透過性表面と流体不透過性表面を持ち、かつ吸収体が第一切断縁と第二切断縁を持つ貫通スリットを示す少なくとも一つの吸収層を含む物品が達成された。この物品は良好な適合性、高い洩れ安全性、高い吸収容量、高い目立ちにくさ及び快適性を持つ。
【０００８】
この発明により作られた物品は主として二つの切断縁が、二つの切断縁の両側の材料がスリットに対して本質的に直角の方向に移動されかつその移動位置に固定されることにより吸収層が形状付与されるような態様で互いに関して変位されることを特徴とする。
【０００９】
切断縁の両側の材料を移動することにより、吸収層の変形が制御された態様で成し遂げられる。この変形は切断縁が互いに向けて接近させられ、または互いから離れるように移動するときに吸収層内に起こる応力及び歪の結果であり、吸収層が縦方向（Ｘ方向）、幅方向（Ｙ方向）及び吸収層の面に対して直角（Ｚ方向）に曲げられるような態様で現れる。材料が内向きに移動するとき、もしスリットが吸収性物品の縦方向に配置されるなら吸収層の側縁の内向きの曲がりが更に得られる。もし吸収層が切断縁の移動前に既に内向きに曲がった縁を持つなら、増大した曲率が得られる。従って、一方では平面内の、すなわちＸ−Ｙ方向の吸収層の形状付与が得られ、他方では空間的な、すなわちＸ−Ｙ方向に対して直角のＺ方向の形状付与が得られる。結果として、曲がった層は吸収性物品、例えばおむつ、衛生ナプキン、失禁保護体等の要素として極めてうまく適している。なぜなら曲がった形状は使用者の体の曲率に追従させることができるからである。
【００１０】
吸収層内のスリットは簡単な切断であることができ、またはゼロとは違うある幅を持つ開口の形であることができる。吸収層のかかる開口は最初に切り抜き部分が吸収層から除去された結果であることができる。開口は尖った末端と幅広の中央部を持つ適当には本質的にボート形状または葉形状である。かかる開口の切断縁が互いに向けて接近させられるとき、吸収層は切断縁が一緒に接近させられる度合いに対応する幅を持つ流体流入溝を持つことができる。極端な場合、切断縁は完全に一緒に接近させられ、または重複させられる。
【００１１】
切り抜き部分が吸収層から除去されることにより開口が形成されるとき、切り抜き部分は形状付与された吸収層の吸収容量を増加させるために使用されることができる。従って切り抜き部分は使用時に使用者に向いて対面する吸収層のその側の、もしそれが存在するなら、好ましくは流体流入溝の上に置かれた吸収層に適用されることができる。更に、切り抜き部分は好ましくは縦方向に延びる吸収層の中心線に関して対称的に配置される。
【００１２】
この発明の別の実施例では、切り抜き部分は使用時に使用者から離れる方に対面する吸収層のその側の吸収層の下に、縦方向に延びる吸収層の中心線に関して対称的に適用される。
【００１３】
この発明の好適実施例によれば、第一切断縁に沿って位置した第一領域が第二切断縁に沿って位置した第二領域に重複し、重複領域が少なくとも一つの弓状に曲がった縁を持つように配置される。
【００１４】
スリットの両端で最少の、かつ両端間で最大を示す重複を持つように切断縁に再接近した領域が重複させられているために、吸収層の面に垂直な縦方向の吸収層の曲がり、及び吸収層の側縁の内向きの曲がりが達成される。ここで吸収層の縦方向は吸収層のスリットに平行な方向をさす。従って、一方では平面内の、すなわちＸ−Ｙ方向の吸収層の形状付与、及び他方ではＸ−Ｙ方向に垂直なＺ方向の形状付与が得られる。
【００１５】
この発明の一実施例によれば、吸収層は貫通スリットに加えて、スリットの各側に対称的に配置された弓状折り曲げ表示を持ち、この弓状折り曲げ表示はスリットから離れる方向に曲がっており、吸収層はスリットの各側の、スリットとそれぞれの折り曲げ表示との間にある部分を持ち、その部分は折り曲げ表示に沿ってスリットから離れる方向に、折り曲げられる。
【００１６】
スリットの両側の折り曲げ部分は好ましくは吸収層に対して完全に下に折り曲げられ、下に折り曲げられた位置で吸収層に固定されることができる。下に折り曲げられた部分のかかる固定は例えば接着により達成されることができる。また下に折り曲げられた部分を吸収層の残りに取り付けるために吸収層内に加熱溶融可能な成分を用いることもできる。下に折り曲げられた部分を吸収層に固定するための別の方法は下に折り曲げられた部分の上に固定部材を配置することである。かかる固定部材の例は例えば接着または溶接によりスリットの両側の下に折り曲げられた部分の上に取り付けられる材料層である。
【００１７】
好適実施例によれば、曲がった折り曲げ表示に沿って形成された折り曲げ縁は一緒に接近させられ、互いから０−２０ｍｍの距離で固定される。折り曲げ縁間に小さな隙間を保持するのが適当であるかもしれない。かかる隙間は物品において流体のための流入溝としての役目をし、更に物品の吸収材料により吸収される時間をまだ持たない流体のための一時的液溜めを構成することができる。隙間は更に物品の端部中への流体の迅速な拡散を促進する。
【００１８】
曲がった折り曲げ縁が一緒に接近させられることにより、吸収層は曲がった、三次元形状を与えられる。スリットの両側の折り曲げ部分の吸収材料は体液の吸収のために利用できるので、吊り下げ“袋”が形成されることなく、または吸収層が非制御態様で一緒に折り曲げられることなく、スリット周りの領域内の吸収容量に貢献する。吸収層の折り曲げ部分はまた、スリットの両側の吸収層の幅を減らす役目をする。これは解剖学的に適合した狭い股部の形状付与に使用されることができ、平坦な長方形吸収素材に基づいて内向きに曲がった側縁を持つ三次元的に形状付与された吸収体を得ることを可能とする。
【００１９】
好ましくは完全にまたは部分的に一緒に接近させられたスリットの両側の折り曲げ縁を持つ予め決められた曲がった形状への吸収層の固定は適当には安定化手段により成し遂げられる。かかる安定化は以下により詳細に述べられる。
【００２０】
この発明によれば、スリットの両側の領域が離れるように動かされた吸収層を形成することもまた可能である。かかる吸収層は、二つの切断縁が、吸収層が二つの末端点と末端点間にある長さを持ち、かつ長さに対して直角のある幅を持つ開口を持つような態様で、互いに関して変位されており、この開口の幅が末端点間に最大値を持つこと、及び吸収層が物品の縦方向と横方向の両方に曲がっていること、及び吸収層が曲がった形状に安定化手段により固定されていることにより特徴付けられる。
【００２１】
スリットの切断縁が離れるように移動されていることにより、開口が吸収層に形成される。同時に、吸収層の面に対して直角の吸収層の横方向の曲がり及び縦方向の曲がりが引き起こされる。これに関して、吸収層の縦方向は吸収層のスリットに平行な方向を意味し、吸収層の横方向は吸収層のスリットに直角の方向を意味する。吸収層の平面からの、すなわちＸ−Ｙ方向に直角のＺ方向の、形状付与が従って得られる。結果として、スリット及び曲がった層は吸収性物品、例えばおむつ、衛生ナプキン、失禁保護体等の要素として極めてうまく適している。曲がった形状はそのとき使用時に使用者に対面することを意図している物品のその側にボウル形状を作るために用いられることができる。かかる実施例では、身体に追従する物品の縦方向の曲がりも得られる。これに代えて、物品は反対方向に曲げられることができ、立ち上がり部分は使用時に使用者に対面することを意図している側に形成される。かかる立ち上がり部分は特に使用者の体と吸収性物品との間の直接接触を作るのに適しており、衛生ナプキンで有利に使用される。
【００２２】
吸収層はボート形状の開口を形成するように幅広のスリットを持ってその曲がった状態で固定される。かかる固定は例えば開口の上に固定部材を配置することにより成し遂げられることができ、従って開口の両側のそれぞれの切断縁の直ぐ次の部分が互いから予め決められた距離で固定される。かかる固定部材の例は例えば接着または溶接によりスリットの縁の両側の吸収層の上に取り付けられる材料層である。吸収層の曲がった形状を固定する別の方法は吸収層がまず形状付与され、その後で吸収層内の熱溶融可能成分が吸収層内の材料、好ましくは繊維を結合するために使用され、かくして吸収層を曲がった形状に固定することである。
【００２３】
この発明の一実施例によれば、吸収層は第一スリットに本質的に平行な少なくとも第二スリットを示しており、そこでは各スリットは第一切断縁と第二切断縁を示しており、それらは吸収層が各スリットに沿った少なくとも一つの重複領域を示すような態様で互いに関して対で変位されており、更に各スリットに沿った重複領域は弓状に曲がった縁を持つ。
【００２４】
かかる実施例では、重複領域は各スリット毎に各スリットの末端点を通る直線の各側に、形成される。スリット間の距離及び重複領域の寸法に依存して、各スリットに沿った重複領域は互いからある距離に位置しているか、互いに隣接するか、または互いに重複するかのいずれかであろう。最後に述べた場合はもしスリット間の重複領域がスリット間の距離を越える最大幅を持つなら起こる。そのときはスリット間に吸収層の三つの重複層からなる部分があるであろう。平行スリットは好ましくは０．５−１５センチメートルの相互距離で設けられる。
【００２５】
この種の吸収性物品は一般的に二つの端部とこれらの端部間に設けられた股部を示し、そこでは股部は横断方向に端部より小さい延長部をもつ。そこでは、もしスリットが少なくとも主として股部に配置されるなら特に有利である。更に、もしスリットが物品の縦方向に延びるなら有利である。吸収層に唯一のスリットが作られるとき、これは適当には縦方向に延びる物品の中心線に沿って配置される。もし吸収層に二つのスリットが作られるなら、それらは有利には縦方向に延びる物品の中心線の各側に対称的に配置される。
【００２６】
吸収層が重複領域を持つとき、これらは適当には互いに固定される。かかる固定は例えば接着により達成されることができる。また吸収層の重複部を互いに、例えば熱結合または超音波溶接により付着するために吸収層内の熱溶融可能成分を使用することもできる。重複領域の互いの固定のための別の方法は重複部分の上に固定部材を配置することによる。かかる固定部材の例は例えば接着または溶接により、スリットの切断縁の両側の重複領域の上に付着される材料層である。
【００２７】
スリットの側方の材料を一緒に接近させ、もし適切なら重複させることにより、吸収層は曲がった三次元形状を与えられる。重複して配置された領域内の、または吸収層の上に配置された切り抜き部分内の吸収材料が体液の吸収のために利用できるので、吊り下げ“袋”が形成されることなく、または吸収層が非制御態様で一緒に折り曲げられることなく、スリット周りの領域内の吸収容量に寄与する。重複の場合、重複した吸収層の領域はまた、スリットに沿った吸収層の幅を減らすことに貢献する。これは吸収性物品の解剖学的に適合した狭い股部の形状付与に使用されることができ、平坦な、長方形吸収素材に基づいて曲がった側縁を持つ三次元的に形状付与された吸収体を得させる。この発明は従って吸収材料のＸ−Ｙ面からＺ方向に、制御された態様で吸収容量を移動させる可能性を提供すると言うことができる。
【００２８】
吸収層の予め決められた曲がった形状での固定は適当には安定化手段により達成される。
【００２９】
かかる安定化手段は、先に述べたように、吸収層に、例えば接着または溶接によりしっかりと連結された安定化層であることができる。
【００３０】
安定化層はそれが吸収体とカバーの流体透過性表面との間の距離層も構成するように配置されることができる。距離層は幾つかの機能を実施することができ、かつ例えば多孔性流体受け層、流体移動層、柔らかい詰め綿層、再湿潤遮断層、カモフラージュ層であることができ、または二つまたは幾つかの機能を組み合わせて実施することができる。
【００３１】
安定化層は吸収層の表面の一つまたは両方の上に配置されることができ、そこではスリットの両側に付着される。もし二つの安定化層が用いられるなら、追加の安定化層は例えば流体透過性カバー層または流体不透過性カバー層、または完成した吸収性物品で、強化層として、流体受け層、流体分散層または追加の吸収層として作用する層であることができる。もし吸収層が重複領域を含むなら、安定化層は重複領域と同じ側、または吸収層の反対側のいずれかの上の、吸収層の重複領域の上に付着されることができる。
【００３２】
安定化手段はまた、例えばポリエチレン、ポリプロピレン、ポリエステルの繊維または粒子、または二成分繊維等のような熱可塑性繊維または粒子の形の吸収層の一部である結合剤を含むことができる。一つまたは二つの安定化層と結合剤の組み合わせも使用されることができる。吸収層の重複領域は重複位置で両領域間に接着剤を配置することにより固定されることができる。
【００３３】
吸収層の形状を固定する追加の方法は重複領域間の機械的連結の形の安定化手段を用いることによる。かかる機械的連結は例えば重複領域のエンボス加工、ニードリング、またはリベット留めにより完成されることができる。
【００３４】
重複領域は物品のカバーの一部を含むことができる。そのとき重複領域は物品の一部を形成する流体透過性カバー層の一部、物品の一部を形成する流体不透過性カバー層の一部、または両方を含むことができる。流体透過性カバー層はまた、流体分散層または流体受容層を含むことができる。もし重複領域が流体不透過性カバー層の一部を含むなら、一般に、物品が使用時に使用者から離れる方に向けられることを意図しているその物品の側に流体不透過性表面を持つように計らうのが適当である。かかる流体不透過性は流体不透過性シール、例えば重複領域間に流体不透過性溶接、または流体不透過性接着線を配置することにより達成されることができる。これに代えて、流体不透過性材料ストリップが重複領域間の接合部の上に配置されることができる。
【００３５】
吸収層に使用するための適当な吸収材料は例えばＷＯ  ９４／１０９５６に記述された種類のかつ０．２−１．０ｇ／ｃｍ３の密度を持つ乾式形成されたセルロースフラッフパルプの層である。他の適当な材料は上述されたのと同じオーダーの密度を持つ高度に圧縮されたセルロースフラッフパルプ、ティッシュ層、不織布層及び吸収性発泡材料である。吸収層は一つまたはそれ以上の同じまたは異なる材料の層を含むことができ、有利には高吸収性材料、すなわち液体含有ゲルを形成してそれら自身の重量の多数倍の体液を吸収する能力を持つ繊維、粒子等の形の高分子材料も含む。吸収層中の材料層は例えば接着または溶接により、またはエンボス加工、ニードリングまたは圧縮によって機械的に接合されることができる。
【００３６】
この発明によるスリット形成及び成形のために適切である吸収材料のためには、その材料は凝集層として取り扱われるのに十分な凝集力を持つべきである。これは例えば本質的にセルロースフラッフパルプからなる層のような吸収性繊維構造に、吸収層の凝集のために活性化されるある量の結合剤の混合により達成されることができる。結合剤の例は熱可塑性繊維である。吸収性繊維構造の十分な凝集はまた、長い繊維の混合及び／または繊維構造の圧縮により達成されることができる。凝集を完成する他の方法は網、不織布層またはティッシュ層のような支持層または補強層を用いることによるか、または圧縮、エンボス加工、ニードリング等による。吸収性発泡材料はこの発明による吸収層で直接実用化可能であるためには一般的にそれら自身の十分な凝集能力を持つ。
【００３７】
この発明による吸収性物品は移動した部分により取り囲まれ、同じまたは異なる材料層に配置された幾つかのスリットを備えることができる。例えば、吸収材料層は物品の縦方向に延びる中心線の各側に対称的に配置された二つのスリットを示すことができる。更に、縦方向に中心に延びる一つのスリット、及び物品の端部に配置された二つまたはそれ以上のスリットを考えることができる。スリットの両側の材料が吸収層が重複領域を持つまで横方向に移動されているとき、重複領域の縁の曲率並びに重複領域の最大幅はその形状が使用者の体の曲率に従うように調整されることができる。例えば、物品の股部の縦方向の曲がりが端部の縦方向の曲がりより大きいことは好都合でありうる。
【００３８】
子供のためのおむつではスリットが１５−４０センチメートル、好ましくは約２５センチメートルの長さを持ち、重複領域が２−１０センチメートル、好ましくは約６センチメートルの最大幅を持つのが適当である。成人のためのおむつ及び他の形式の身体取り巻き失禁保護体ではスリットが２０−６０センチメートル、好ましくは約３０センチメートルの長さを持ち、重複領域が２−１４センチメートル、好ましくは約８センチメートルの最大幅を持つのが適当である。ここでスリットの長さはスリットの二つの末端点間の距離をさす。重複領域の幅は重複部に配置された切断縁間の距離をさす。衛生ナプキン、または軽度失禁のための失禁保護体では、スリットは適当には１０−４０センチメートル、好ましくは約１５センチメートルの末端点間の長さを持ち、重複領域は２−１０センチメートル、好ましくは５センチメートルの最大幅を持つ。
【００３９】
吸収層は平坦で本質的に長方形の素材から形成されることができ、それはスリット形成及び重複部を持つように移動後に三次元の曲がった砂時計形状を与えられる。
【００４０】
かくして、この発明により本質的に平坦で長方形の材料層から狭い股部と幅広の端部を持ち、かつ股部に高い吸収容量を持つ吸収体を完成することができる。吸収性物品は使用者の股領域の曲率に極めてうまく順応する形状を与えられることができる。同時に、スリットの各側の、適用された切り抜き部の形のまたは移動された材料部の形の、重複部の吸収材料は、形状及び容量に関して、物品の股部の吸収容量に対して予測できる貢献をする。
【００４１】
しかし、吸収層が最初から長方形である必要はない。例えば、長円形層が使用されることができ、または最初から既に吸収層のスリット形成及び折り曲げにより付与された砂時計形状を持つ層が使用されることができる。最初から砂時計形状であり、かつ吸収層のスリットの両側の材料が離れるように移動され、その移動された位置に固定されることにより幅を広げられた吸収層を使用することもできる。
【００４２】
ある利用のためには、もしスリットが物品の端部を向いた方向に幾らか変位されるなら有利でありうる。例えば、吸収性物品の湿潤領域は一般的に物品の横断中心線の幾らか前方に位置しているので使用時に使用者の前方に向けられることを意図した端部に接近してスリットを配置することが好都合でありうる。しかし、もし形状付与及び／または追加の吸収容量が物品の後方部に望まれるなら、例えばもし物品が夜間使用を意図した衛生ナプキン、またはゆるい便を吸収するためのおむつまたは失禁保護体であるなら、スリットは物品の幾らか後方に変位されることができる。もちろん先に述べたように、同じ物品に二つまたはそれ以上のスリットを配置することもできる。追加のスリットはそのとき第一スリットと同じ層に配置され、または別の必然的に吸収性ではない材料層に置かれることができる。吸収層のスリットはまた、身体に順応する立ち上がり部分を形成するために使用されることができる。例えば、衛生ナプキンがかかる立ち上がり部分を備えることは普通であり、そのとき立ち上がり部分は排泄された体液が使用者の体を離れるや否やそれを捕えることができるように置かれるべきである。かかる立ち上がり部分の別の共通機能は使用者のでん部間の後方洩れシールの形成である。更に、一つまたはそれ以上のスリットの配置は少年または少女のために特に設計されたおむつを完成するために用いられることができる。
【００４３】
衛生ナプキンのような吸収性物品は物品の側縁に配置され、使用時に使用者のパンツの足バンド周りに折り曲げられてパンツの外側に固定される、固定フラップを備えることが多い。かかる固定フラップはパンツの足バンド間に延びる物品を保持するのに寄与し、側縁洩れに対する追加の保護に貢献する。この発明による衛生ナプキン及び失禁保護体のような吸収性物品は有利には固定フラップを備えることができる。
【００４４】
この発明はまた、吸収性物品で使用するための吸収層を製造する方法に関する。この発明によれば、吸収層は少なくとも一つの貫通スリットを備えており、それにより第一切断縁と第二切断縁が形成される。その後、スリットを形成された吸収層は凹状または凸状表面上に導かれ、それにより切断縁がスリットの縦方向に対して直角に移動される。形状付与表面が凹状であるとき、スリットの両側に位置する吸収層のそれらの領域は互いに向いた方向に移動される。かなりの移動により、一緒に接近させられた吸収部は互いに重複させられることができる。この点について、スリットに沿って少なくとも一つの曲がった縁を持つ重複領域が形成される。凹状表面は例えば凹状ロール、凹状折り曲げシート、またはある角度で置かれた二つの普通の円筒状ロールの表面であることができる。吸収層を凹状または凸状表面の上を表面にある圧力を持って通過させることにより、選ばれた形状付与表面に依存して、スリットの各側の領域が互いに向けて、または互いから離れるように移動し、重複位置で互いの上に徐々に重複させられ、または離れるように移動させられるであろう。
【００４５】
もし希望の結果が吸収層の一部に対し互いの上に接近させられること及び互いに重複させることであるなら、もし凹状表面がペグ等の形の制御素子を備えるなら有利であり、この制御素子はスリットの切断縁の移動を開始し、これら領域の一つが同じ方式で他の領域の上に常に重複させられること、すなわちこれらの領域が互いに関して同じ順序で常に組み立てられることを確実とする。
【００４６】
吸収層は好ましくは連続的に走行するウェブで製造され、このウェブから個々の吸収層が形状付与後に分離される。
【００４７】
スリット形成及びスリットの両側に位置した領域の移動後に形成された三次元形状を安定化するために、吸収層は安定化層に結合されることができる。そのとき安定化層は適当にはスリットの延長方向を横切って、吸収層の少なくとも一つの表面上に配置される。安定化層がスリットの全長に沿って配置されることは必要ではなく、スリットを横切ってバンドを配置することで十分であるかもしれない。
【００４８】
これに代えて、吸収層の形状は、スリット形成及び重複後に、吸収層の一部である結合剤の活性化により固定されることができる。かかる結合剤は熱可塑性繊維であることができ、吸収層の形状は吸収層の加熱及び続いての冷却により安定化される。
【００４９】
吸収層のスリット（単数または複数）は好ましくは真直ぐであり、吸収層の縦方向または横方向に本質的に平行である。しかし、曲がったまたは湾曲したスリット及び／または斜めのスリットを用いることもできる。ここで字句スリットは原則的に一次元切断、またははさみで切ること、並びに長い開口をさす。
【００５０】
図面の簡略説明：
この発明が以下に添付図面に示された例示的実施例に関して、より詳細に説明されるであろう。図面において：
図１はこの発明によるおむつを示し、
図２ａはこの発明の第一実施例による図１のおむつを通した線ＩＩａ−ＩＩａに沿った断面を示し、
図２ｂはこの発明の第二実施例による図１のおむつを通した線ＩＩｂ−ＩＩｂに沿った断面を示し、
図３はこの発明による失禁保護体を示し、
図４は図３の失禁保護体を通した線ＩＶ−ＩＶに沿った断面を示し、
図５はこの発明の更なる実施例によるおむつを示し、
図６は図５のおむつを通した線ＶＩ−ＶＩに沿った断面を示し、
図７はこの発明による衛生ナプキンを示し、
図８は図７の衛生ナプキンを通した線ＶＩＩＩ−ＶＩＩＩに沿った断面を示し、
図９はこの発明による吸収体で使用するための吸収層を示し、
図１０はこの発明による吸収層を形成する方法を示し、
図１１はこの発明による完全に形状付与された吸収層を示し、
図１２はこの発明の代替実施例による吸収層を示し、
図１３はこの発明による吸収体で使用するための更なる吸収層を示し、
図１４は第一折り曲げ工程後に見える図１３の吸収層を示し、
図１５は図１３と１４に示された種類の吸収層に形状付与する方法を示し、
図１６は図１３と１４に示された種類の完全に形状付与された吸収層を示し、
図１７は立ち上がり部を持つ吸収層を示し、
図１８はこの発明による吸収体で使用するための更なる吸収層を示し、
図１９は切り抜き部分の除去後に見える図１８の吸収層を示し、
図２０はこの発明による吸収層に形状付与する方法を示し、
図２１はこの発明によるロール掛けと関連して切抜き部分を適用した吸収層に形状付与する方法を示し、
図２２は切り抜き部分を適用した、図７または８の方法により形状付与された吸収層を示し、そして
図２３は切り抜き部分を適用した完全に形状付与された吸収層を示す。
【００５１】
例示的実施例の説明：
図１，２ａ及び２ｂに示されたおむつ１０１は第一流体透過性カバー層１０２、第二流体不透過性カバー層１０３、及びカバー層１０２，１０３間に配置された吸収体１０４を含む。二つのカバー層１０２，１０３は吸収体１０４より大きな広がりを平面内に持ち、吸収体１０４を越えてその全周周りに突出する。カバー層１０２，１０３は例えば接着によりまたは熱または超音波溶接により突出部１０５内で互いに結合されている。
【００５２】
流体透過性カバー層１０２は不織布材料、多孔プラスチックフィルム、網材料、トウ（平行繊維）等の層のようなその目的に適したどのような材料からなることもできる。もちろん、カバー層１０２はまた、同じまたは異なる材料の二つまたはそれ以上の層のラミネートからなることもできる。しかし、流体透過性カバー層１０２は、この発明の範囲内では、別個の要素である必要はなく、吸収体１０４の一体化部分であることができる。吸収体１０４周りの突出縁１０５はかかる実施例では流体透過性カバー層１０２を必然的に含まない。カバー層１０２であることができかつ吸収体１０４に含まれることのできる材料の例は発泡体、繊維詰め綿、不織布材料等である。
【００５３】
流体不透過性カバー層１０３は流体不透過性プラスチックフィルム、流体ブロッキング材料で覆われた不織布層、または流体浸透に抵抗する能力を持つ他の柔軟な材料層からなることができる。しかし、もし流体不透過性カバー層１０３が一定の通気性を示すなら、すなわち層１０３を通して水蒸気の通過を可能とするなら、有利であることができる。流体不透過性カバー層１０３は、流体透過性カバー層１０２のように、吸収体の一体化部分であることができ、例えば吸収性発泡材料上の流体不透過性皮膚状表面からなることができる。
【００５４】
おむつ１０１は幅広の前方及び後方部１０６，１０７と狭い中間股部１０８を持つ、長い形状を持つ。前方部１０６はおむつが使用されるとき使用者の前方に向けられることを意図しているおむつ１０１の部分であり、後方部１０７は使用者の後方に向けられるおむつの部分である。加えて、おむつ１０１は内向きに曲がった二つの縦方向側縁１０９，１１０、前方縁１１１及び後方縁１１２を持つ。
【００５５】
おむつ１０１は使用時にパンツ状態様で使用者の胴の下方部を囲むように固定される形式のものである。この目的のために、テープフラップ１１７，１１８がおむつの後方縁１１２に隣接して各側縁１０９，１１０から突出するように配置されている。テープフラップ１１７，１１８はおむつ１０１の前方部１０６の流体不透過性カバー層１０３上に配置された受容領域１１９と共働することを意図している。かかる受容領域１１９は適当には流体不透過性カバー層１０３の補強材のある形、例えば追加のプラスチック層または流体不透過性カバー層１０３上に配置された被膜の形を含む。もちろん、代替的にボタンとボタン穴、ホック留め、プレススタッド、フックとループファスナー等のような、おむつ１０１のための他の形式の固定手段を考えることができる。更なる代替物はおむつがいわゆるパンツおむつであることであり、これはそれが使用者に連続吸収パンツとして供給されることを意味する。おむつの別の共通形式はベルトにより固定され、そこではおむつはしっかりとまたは取り外し可能に吊り下げられる。
【００５６】
更に、おむつ１０１はおむつの側縁１０９，１１０に沿って配置された予め緊張した状態で配置された縦方向の弾性部材１２０，１２１を備えている。弾性部材１２０，１２１は使用時に使用者の体に沿ったおむつ１０１の曲がりに寄与し、同時におむつの脚ゴムを構成する。従って、弾性部材１２０，１２１はおむつの側縁１０９，１１０を使用者の脚と密封的接触で保つ役目をし、おむつと使用者の体との間の隙間を通して体液がおむつから洩れるその隙間の使用時の発生を阻止する。弾性部材はこの発明には必要ではなく、従って排除されることができる。なぜならこの発明による吸収体１０４は弾性部材１２０，１２１なしでさえ、非常に良好な適合性を持ち、使用者の体にうまく順応するからである。
【００５７】
吸収体１０４はセルロースフラッフパルプ、ティッシュ、吸収性発泡体等のような吸収性材料の一つまたはそれ以上の層から作られることができる。また吸収体が高吸収剤、すなわちヒドロゲルを形成しながらそれら自身の重量の多数倍の体液を吸収することのできる高分子材料、を含むのが一般的である。かかる高吸収剤は一般的に粒子の形で存在するが、また繊維、フレーク、顆粒及びフィルムの形も見出せる。加えて、吸収体１０４は剛化要素、成形要素、結合剤等のような非吸収性成分を含むことができる。繊維詰め綿等のような種々の形式の流体受容多孔構造もおむつ１０１に含まれることができる。
【００５８】
吸収体１０４は、この発明によれば、本質的に二つのカバー層１０２，１０３と同じＸ−Ｙ面形状を持つ吸収層１２４を含む。吸収層１２４は良好な凝集力を持つ層状材料、例えばＷＯ  ９４／１０９５６に記載された乾式成形セルロースフラッフ材料から形成されることが好適である。他の適当な材料は高度に圧縮されたセルロースフラッフパルプ、ティッシュ層、不織布層及び吸収性発泡材料である。吸収性繊維材料は繊維構造に関して０．２−１．０ｇ／ｃｍ３の密度を持つべきである。
【００５９】
吸収層１２４に、第一と第二切断縁１２６，１２７を持つスリットの形の切断が配置される。このスリットは本質的におむつ１０１の縦方向に平行であり、本質的に股部１０８内に配置される。このスリットは二つの末端点１３４，１３５と末端点１３４，１３５間に長さｌを持つ。スリットの切断縁１２６，１２７は縦方向に延びるおむつの中心線１２８周りに重複させられ、従っておむつ１０１の股部１０８は吸収層１２４の二重層を持つ領域１２９を示す。第一切断縁１２６と第一側縁１０９との間に位置した吸収層１２４の第一領域１３０は縦方向中心線１２８から離れる方向に吸収層１２４の上に移動させられ、第二切断縁１２７と第二側縁１１０間の吸収層１２４の第二領域１３１は吸収層１２４の上に反対方向に移動させられる。スリットの各側に位置する吸収層１２４の領域１３０，１３１の重複は、切断縁１２６，１２７が弓形に曲げられるような態様で実施される。これは重複、従って重複領域１２９の幅ｂがスリットの末端点１３４，１３５間で最大であり、末端点を向いた方向にゼロに減少することを意味する。示された実施例において、重複領域１２９は縦方向並びに横方向に対称的である。これは好適実施例であるけれども、他の実施例がこの発明の範囲内で可能である。例えば、重複領域１２９がスリットの中心点にその最大幅を持つことは必要ではない。従って、幅ｂはスリットの末端点１３４，１３５の一方近くに最大であることができる。
【００６０】
更に、おむつ１０１は流体移動層１２２を含む。図２ａと２ｂは図１のおむつ１０１の異なる実施例を示す。図２ａに示された実施例において全流体移動層１２２は流体透過性カバー層１０２と吸収層１２４との間に配置されている。図２ｂでは流体移動層１２２は吸収層１２４と一緒にスリットされており、おむつ１０１の股部１０８の吸収層１２４と同じ態様で重複させられている。
【００６１】
示された実施例では流体移動層１２２は平面で吸収層１２４と同じ形状と寸法を持つが、もちろんこれはこの発明に必要ではない。従って、流体移動層１２２は吸収層１２４より小さくてもまたは大きくてもよく、吸収層１２４に対して異なる形状を持つことができる。
【００６２】
流体移動層１２２は適当には吸収層１２４より高い多孔度を持ち、流体を受けて吸収層１２４の上に分散する良好な能力と流体を吸収層に放出する能力を持つ。流体移動層１２２はまた、吸収層１２４に吸収された流体と使用者の体との間に距離層を形成し、それにより再湿潤、すなわち既に吸収された体液が流体透過性カバー層１０２を通して浸透して戻ること、を減らしまたは防ぐ。一般的に、もし流体移動層１２２が流体移動層１２２を流体透過性カバー層１０２及び／または吸収層１２４と一緒に結合するために使用されることができる熱可塑性成分を含むなら有利である。従って、流体移動層１２２は、吸収層１２４と一緒に結合されることができ、この態様で吸収層１２４を重複する三次元形状付与状態に保つための安定化手段としての役目をする。
【００６３】
流体移動層１２２が吸収層１２４の重複部１３０，１３１間に延びている、図２ｂに示された実施例では、流体移動層１２２はまた、流体が吸収層１２４の重複領域間に迅速に到達することができるように吸収体１０４中への輸送通路を構成する。
【００６４】
上述のように、吸収層１２４がスリット形成され、スリットの各側に位置した領域１３０，１３１が重複させられるという事実は、おむつ１０１が股部１０８で体に適合した曲がった形状を与えられ、また追加の吸収容量が股部１０８に供給される結果をもたらす。従って、より厚くて、より吸収性の部分が、最初に体液によりぬれると予想されるおむつ１０１の領域内に制御された態様で得られ、同時に股部１０８が通常のおむつで可能なものより極めて狭く作られることができる。吸収材料の追加量が股部１０８の小さくて、比較的狭い領域に配置され、それが増大した吸収容量にもかかわらずおむつを着用するのを快適とする。股部１０８の安定化及び剛直化も重複部１２９内に得られる。
【００６５】
かかる剛直化は非制御の変形及び折り曲げ形成を阻止し、それはまた快適性を強化すること、及びおむつ１０１を目立たずに着用でき洩れに対して安全であることに寄与する。
【００６６】
先に示したように、ある方式で吸収層１２４の三次元形状を固定するのが適当である。例えば、吸収層はカバー層１０２，１０３、流体移動層１２２、またはおむつの一部を形成する幾つかの他の材料層のような、少なくとも一つの安定化層と結合されることができる。この結合はどのような適当な方式でも、例えば接着、ニードリングまたは溶接により実施されることができる。また吸収層１２４の三次元形状を、層１２４の一部を形成する結合剤、例えば熱可塑性繊維または粒子の活性化により、または重複領域１２９のニードリングにより、安定化することができる。
【００６７】
図３に示された失禁保護体３０１は図１及び２ａ，ｂのおむつと同じ基本構造を持ち、従って第一流体透過性カバー層３０２、第二流体不透過性カバー層３０３、及びカバー層３０２，３０３間に配置された吸収体３０４を含む。二つのカバー層３０２，３０３は吸収体３０４より大きな広がりを平面内に持ち、吸収体３０４の全周周りに突出するカバー縁３０５を形成する。カバー層３０２，３０３は突出カバー縁３０５内で互いに例えば接着または熱または超音波溶接により結合される。失禁保護体３０１の種々の要素に使用されている材料は図１及び２ａ，ｂに示されたおむつと同じ方式で選ばれることができる。
【００６８】
失禁保護体３０１は一般的に幅広の端部３０６，３０７と狭い中間股部３０８を持つ砂時計形状をしている。更に、失禁保護体３０１は二つの本質的に縦方向の内向きに曲がった側縁３０９，３１０と二つの本質的に横方向の端縁３１１，３１２を持つ。
【００６９】
失禁保護体３０１は使用者のパンツの内側に着用されることを意図した形式のものであり、この目的のために、粘着性接着剤の長方形の縦方向領域の形の固定手段３３２を持って供給される。示された固定手段３３２の実施例は例としてのみを意図している。従って、他の形の接着固定手段、例えば固定手段の他のパターン、または場所を使用することができる。また摩擦ライニング、フックとループライニング、クリップ、プレススタッド、固定フラップ等のような機械的固定手段のような、他の形式の固定手段が個別にまたは接着固定手段とまたは互いに組み合わせて使用されることができる。接着固定手段３３２は通常使用前は幾つかの形式の取り外し可能な保護シート、例えばシリコーン処理紙シート等により保護される。
【００７０】
失禁保護体３０１に縦方向に曲がった形状を与えるため、及び曲がった側縁３０９，３１０を持つ狭い股部３０８を制御された態様で形状付与するために、かつ同時に股部３０８に十分な吸収容量を供給するために、二つの切断縁３２６，３２７を持つスリットの形の切断が吸収層３２４内に配置され、その後重複するボート形状の領域３２９がスリットに沿って形成される。スリットの各側の、かつスリットの切断縁３２６，３２７と失禁保護体３０１の対応する側縁３０９，３１０との間に位置した領域３３０，３３１が、図１と２ａ，ｂに示されたおむつ１０１に関して述べたように、重複させられる。
【００７１】
図４に示すように、重複は本質的に平坦表面が流体透過性カバー層３０３に形成されるように、かつ立ち上がり部分３３８が使用時に使用者を向く方向であることを意図した失禁保護体のその側に形成されるように実施される。もちろんこれに代えて重複領域３２９を使用時に使用者から離れる方向であることを意図したその表面で膨らませることができる。かかる実施例では吸収層３２４はむしろ流体透過性カバー層３０２にボウル形状を形成する。重複領域３２９が流体透過性カバー層３０２と流体不透過性カバー層３０３の両方で幾らか膨らむ中間形状もまた考えられる。
【００７２】
失禁保護体３０１は使用時に使用者のパンツの圧力のため使用者の体と密着接触して保持される。使用者が吸収体３０４の重複領域３２９の存在のため、流体透過性カバー層３０２を通して失禁保護体３０１の表面に不規則でかつ不快な感覚として気づくのを防ぐために、距離層３２２が流体透過性カバー層３０２と吸収体３０４間に配置される。かかる距離層３２２は先に述べたように、幾つかの機能を実施することができる。例えば、特に失禁保護体及びおむつにおいて、高い瞬時流体吸収能力を持つ流体受容層として多孔性の通常弾性材料層を配置することは普通である。更に、層３２２は吸収性物品の流体受容表面と物品の吸収体間の流体分散及び流体移動部材としての役目をすることができる。距離層３２２は単一層または例えば互いに異なる組成及び／または異なる機能を持つ幾つかの層からなることができる。距離層で普通に使用される材料の例はポリエステル詰め綿、嵩高の不織布材料、種々の形式のラミネート、架橋セルロース繊維等である。距離層は好ましくは親水性が小さく、その内側に位置する吸収層より高い多孔度を持つべきであり、かつ使用者の体に対して柔らかくかつ気持ちのよいものであるべきである。
【００７３】
吸収体３０４は更に、示された実施例では、吸収層３２４と流体不透過性カバー層３０３との間に置かれた貯蔵層３４４を含む。貯蔵層３４４は適当には良好な流体分散能力を持ち、吸収層３２４から移動した流体を吸収しかつ貯蔵することができる。また貯蔵層３４４は安定化層として使用されることができ、従って吸収層３２４に結合されることができる。
【００７４】
図５と６はこの発明による別のおむつ５０１を示す。おむつ５０１は本質的に図１と２ａ，ｂのおむつと同じ方式で構成されている。従って、図５と６のおむつは流体透過性カバー層５０２、流体不透過性カバー層５０３、及びカバー層５０２，５０３の間に配置された吸収体５０４を含む。カバー層５０２，５０３は吸収体５０４周りの突出カバー縁５０５内で互いに結合されている。
【００７５】
おむつ５０１は幅広の端部５０６，５０７及び狭い中間股部５０８を持つ、主として砂時計形状をしている。更に、おむつ５０１は二つの縦方向の内向きに曲がった側縁５０９，５１０と二つの端縁５１１，５１２を持つ。
【００７６】
おむつ５０１はおむつの側縁５０９，５１０に沿って配置された予め緊張されて配置された、縦方向の弾性部材５２０，５２１を備えている。弾性部材５２０，５２１は使用時におむつ５０１の使用者の体に沿った曲がりに寄与する。従って、弾性部材５２０，５２１はおむつの側縁５０９，５１０を使用者の脚と接触して保つ役目をする。弾性部材はこの発明に必要ではなく、従って排除されることができる。なぜならこの発明による吸収体５０４は弾性部材５２０，５２１なしでさえ、非常に良好な適合性を持ち、かつ使用者の体にうまく順応するからである。
【００７７】
更に、おむつ５０１は内部弾性遮断壁５５１，５５２を持つ。内部弾性遮断壁５５１，５５２は二重に折り曲げられた材料ストリップ５５３，５５４からなる。材料ストリップ５５３，５５４は適当には流体浸透に抵抗することができる材料、例えば疎水性不織布、プラスチックフィルムまたは不織布及びプラスチックフィルムのラミネートからなる。各材料ストリップ５５３，５５４は取り付け縁５５５，５５６に沿って流体透過性カバー層５０２に固定され、対向折り曲げ縁５５９，５６０に予め緊張して配置された弾性部材５５７，５５８を含む。
【００７８】
図５において内部遮断壁５５１，５５２は伸張された弾性部材５５７，５５８を持って示されている。遮断壁５５１，５５２はそのとき流体透過性カバー層５０２に向けて下向きに位置する。使用時に遮断壁がおむつ５０１の側縁５０９，５１０に沿って流体捕獲側方ポケットを形成することを確実とするために、二重折り曲げ材料ストリップ５５３，５５４はおむつ５０１の端縁５１１，５１２に隣接して流体透過性カバー層５０２に対して下向きに固定される。おむつが用いられるとき、弾性部材５５７，５５８は収縮し、内部遮断壁５５１，５５２はそのとき図６に示された立ち上がり形状をとる。内部遮断壁５５１，５５２内の弾性部材５５７，５５８はおむつの側縁５０９，５１０の突出カバー縁５０５内の弾性部材５２０，５２１と共働する。
【００７９】
おむつ５０１は固定部材なしで示されており、図示の形状ではパンティー内または特別のパンツ状おむつ、タイパンツ等内の挿入体として用いられることができる。これに代えて、このおむつは例えば図１と２ａ，ｂで示されたおむつに関連して述べた種類の固定部材を備えることができる。またフックとループ表面、ボタン／ボタン穴、ベルト等のようなこの目的のための既知の他の形式の固定部材が用いられることができる。このおむつが吸収性パンツ状おむつとして構成されて配送されることも考えられる。
【００８０】
吸収体５０４は吸収層５２４を含み、この吸収層５２４にスリットの形の二つの切断が配置され、そのそれぞれは第一と第二の切断縁５２６′，５２７′；５２６′′，５２７′′を持つ。スリットは本質的におむつ５０１の縦方向に平行で、おむつ５０１の縦中心線５２８の各側に対称的に、本質的に股部５０８に配置される。スリットの切断縁５２６′５２７′；５２６′′，５２７′′はおむつ５０１の各側縁５０９，５１０に沿った領域５６１，５６２がおむつの縦中心線５２８に向けて動かされるような態様で、スリット間の中央に位置した吸収層５２４の領域５６３上に重複させられる。ここで“上に”は側縁５０９，５１０の吸収領域５６１，５６２がスリット間の中央に位置した吸収領域５６３より流体透過性カバー層５０２により近く配置されることを意味する。この配置により、空洞５６４が縦中心線５２８に最も近接して位置する切断縁５２６′，５２６′′間に形成される。この空洞５６４はおむつの縦方向に延びる溝の形状を持ち、この溝は使用時に流体を一時的に保持し、この流体をおむつの縦方向に分散する役目をする。空洞５６４は、もしそう望むなら、例えば繊維詰め綿、発泡材料、または良好な流体輸送性を持つ他のいずれかの材料で充填されることができる。
【００８１】
更に、おむつ５０１は流体移動層５２２を含む。図示の実施例では全流体移動層５２２が流体透過性カバー層５０２と吸収層５２４との間に配置されている。これに代えて、流体移動層５２２は吸収層５２４と一緒にスリット形成されることができ、股部５０８に重複して含まれることができる。
【００８２】
図６に示されるように、スリット間の中央に位置した領域５６４を側縁５０９，５１０に最も接近した領域５６１，５６２の下に配置する代わりに、逆配置を用いることももちろん可能であり、そこでは中央領域５６４は側方領域５６１，５６２上に配置される。
【００８３】
図７と８に示された衛生ナプキン７０１は流体透過性カバー層７０２、流体不透過性カバー層７０３、及びカバー層７０２，７０３間に配置された吸収体７０４を含む。二つのカバー層７０２，７０３は吸収体７０４より大きい広がりを平面内に持ち、吸収体７０４の全周周りに突出するカバー縁７０５を形成する。カバー層７０２，７０３は突出するカバー縁７０５内で、例えば接着または熱または超音波による溶接により、互いに結合される。衛生ナプキン７０１内の種々の要素で用いられる材料は上述の実施例に対するのと同じ方式で選ばれることができる。
【００８４】
衛生ナプキン７０１は幅広の端部７０６，７０７と狭い中間股部７０８を持つ主として砂時計形状をしている。更に、衛生ナプキン７０１は二つの主として縦方向内向きに曲がった側縁７０９，７１０と二つの主として横方向端縁７１１，７１２を持つ。
【００８５】
衛生ナプキン７０１は使用者のパンツの内側に着用されることを意図しており、衛生ナプキン７０１の各端部７０６，７０７に横方向に配置された粘着接着剤の長方形領域の形の固定手段７３２を備えている。先に述べたように、多数の種々の形式と形状の固定手段が吸収性物品をパンツの内側に固定するのに用いられることができる。
【００８６】
吸収体７０４は吸収層７２４を含み、この吸収層７２４にスリットの形の二つの切断が配置され、そのそれぞれは第一と第二の切断縁７２６′，７２７′；７２６′′，７２７′′を持つ。スリットは本質的に衛生ナプキン７０１の縦方向に平行で、衛生ナプキン７０１の縦中心線７２８の各側に対称的に、本質的に股部７０８に配置されている。スリットの切断縁７２６′，７２７′；７２６′′，７２７′′は、重複して置かれたボート形状領域が縦中心線７２８に沿って形成されるように互いを越えて移動された第一切断縁７２６′，７２６′′を持って、衛生ナプキン７０１の各側縁７０９，７１０に沿った側方領域７６１，７６２が衛生ナプキンの縦中心線７２８に向けて移動されるような態様で、重複させられる。側方領域７６１，７６２により形成された重複領域７６５は図示の例ではスリット間の中央に位置した吸収層７２４の領域７６３の下に配置される。ここで“下に”は側縁７０９，７１０の吸収領域７６１，７６２がスリット間の中央に位置した吸収領域７６３に関して流体不透過性カバー層７０２により接近して配置されることを意味することを意図している。
【００８７】
吸収層７２４の側方領域７６１，７６２がスリット間の中央に位置した吸収層７２４の領域７６３の下に重複させられているために、吸収層７２４の三層を持つ中央領域が形成される。この態様で、縦中心線７２８に沿って中央に延びるうまく構成された立ち上がり部７３８が完成された。この立ち上がり部は女性使用者のために解剖学的にうまく適合した形状を与える。立ち上がり部７３８は使用時に使用者の膣開口と接触し、従って月経流体が使用者の体を離れるや否やそれを捕えることができる。排泄された流体は股部７０８内の盛り上がった吸収材料により吸収されることができる。
【００８８】
図７の衛生ナプキンの図８に示された断面は切断部を越えて位置する衛生ナプキン７０１の部分が衛生ナプキン７０１の面からどのように曲がっているかを示す。スリット形成及びスリットに沿って位置した材料領域の重複の結果として曲がりが発生する。曲がりの範囲はスリットの数、スリットまたは複数のスリットの長さにより、そして重複がどのような大きさであるかにより制御される。先に述べたように、吸収層７２４の重複部により、縦中心線に向く方向の側縁７０９，７１０の曲がりと、衛生ナプキンの平面からの縦及び横方向の曲がりの両方が得られる。
【００８９】
図７と８に示された衛生ナプキンの吸収体７０４は単一吸収層７２４からなる。しかし、もちろん、更なる層及び要素が先に述べた実施例に関して特定されたように、吸収体７０４の一部であることができる。スリット形成された吸収層７２４は重複及び曲がった状態で適当にはカバー層７０２，７０３の一方または両方に溶接または接着されることにより固定される。これに代えて、またはそれと組み合わせて、重複部分はある結合剤により一緒に結合されることができる。かかる結合剤は重複部分間に単独で配置されることができ、または吸収体内の熱可塑性成分からなることができる。吸収層７２４の吸収材料と混合されることができる適当な熱可塑性結合剤は加熱及び圧縮または溶接により活性化される熱可塑性繊維である。もちろん、吸収層７２４を重複状態に保つために別個の固定手段、例えば安定化層を用いることもできる。
【００９０】
また図１−６に示された吸収性物品は物品の一部である吸収層のスリット形成及び重複のため縦並びに横方向に曲げられる。物品の股部がボウル形状をとるかまたは物品上の流体透過性表面に立ち上がり部を備えるかを選択することができるので、横方向曲がりは図２ａ，ｂ及び６には断面で示されていない。更に、切断部を超えて位置した物品の部分は図２ａ，ｂ及び６には示されていない。しかし、これらの物品は図７と８に示された衛生ナプキン７０１に対応して縦方向に曲がっていることは明らかである。
【００９１】
図９−１１においてこの発明による吸収層９２４がどのようにスリット形成され、形状付与されるかが概略的に示されている。図９には長方形の、平坦な吸収層９２４が縦側縁９０９，９１０と横端縁９１１，９１２を持って示されており、それに直線状貫通スリット９２５が配置されている。スリット９２５は側縁９０９，９１０に平行に配置されている。スリット９２５の各側に吸収層９２４の形状付与のために重複させられるであろう領域９３０，９３１が示されている。各領域９３０，９３１はスリット９２５の切断縁９２６，９２７と、スリットの末端点９３４，９３５間に延びる曲がった境界線９４６，９４７との間に位置しており、スリット９２５から離れる方向に曲がっている。
【００９２】
スリット９２５と境界線９４６，９４７との間の領域９３０，９３１は一緒に、二つの尖った先端９３４，９３５、末端点間の長さｌ及び幅ｂを持つボートまたは葉形状を持つ領域を形成する。
【００９３】
末端点９３４，９３５間で凸状に曲がっている境界線９４６，９４７のため、スリット９２５と境界線９４６，９４７との間の領域９３０，９３１は末端点に隣接してより末端点９３４，９３５からある距離により大きな幅ｂを持つ。境界線９４６，９４７は図に示すように、縦方向並びに横方向にスリット９２５周りに好ましくは対称的に配置されている。しかし、スリット９２５の異なる部分に沿って異なる曲率半径を持つ境界線を考えることもできる。例えば、スリット９２５の一端９３４に接近して他端９３５に接近してよりより大きな曲率半径を持つことができる。
【００９４】
図１０にスリット９２５に沿って重複領域９２９を形成するための方法が示されている。複数の結合した吸収層９２４が連続材料ウェブ９４０として回転凹状ロール９４１の上に供給される。図ではスリットの各側の領域９３０，９３１が重複させられるように切断縁９２６，９２７がどのように互いの上に反対方向に移動されるかが示されている。重複の結果として、一方では重複領域９２９内の吸収材料の隆起が得られ、他方では吸収層９２４がそれが曲がった側縁９０９、９１０を持つように形状付与される。更に、吸収層９２４は縦方向並びに横方向に曲がっている。
【００９５】
個々のスリット形成及び形状付与された吸収層９２４は図１０に点線で印された横断分割線９４２に沿って走行材料ウェブ９４０から分離される。
【００９６】
図１１に、図１０に示された材料ウェブ９４０から分離されたときに完全に形状付与された吸収層９２４がどのように見えるかが示されている。スリット９２５の各側の曲がった領域９３０，９３１のスリット形成及び重複により、吸収層９２４は縦方向に曲がった形状を与えられている。加えて、吸収層９２４の側縁９０９，９１０は内向きに、スリット９２５を向いた方向に、曲がっており、従って吸収層９２４は平面内で殆ど砂時計の形状をしている。
【００９７】
吸収層９２４を形状付与状態に固定するのが通常好都合である。固定は例えば接着、または溶接により、または吸収層に含まれた結合剤、例えば熱可塑性繊維の活性化により達成されることができる。吸収層９２４の形状の安定化はまた、追加の材料層を、例えば接着または溶接により折り曲げられた吸収層９２４に固定することにより達成されることができる。かかる追加の材料層は例えば流体透過性カバー層または流体不透過性カバー層、または完成した吸収性物品で補強層として、流体受容層、流体分散層、または別の吸収層として作用する層であることができる。安定化層はその一方または両側の吸収層の重複領域の上に固定されることができる。
【００９８】
吸収層９２４は図示された長方形とは別の初期形状、例えば砂時計形状または長円形状を持つことができる。先に述べたように、幾つかのスリット９２５が同じ吸収層９２４に配置されることができる。これらのスリットは互いに関して異なる層に配置されることができ、互いに完全にまたは部分的に重複した重複部分９３０，９３１を持って置かれることができ、または平面内で分離されることができる。物品の端部にスリット９２５を配置することにより、端部はまた希望の方式で形状付与されることができる。記述した実施例ではスリットは縦方向に中央に配置されて示されているが、もし適当と考えるなら、一端部に向けて、好ましくは少なくとももし追加の吸収容量が尿吸収のためを意図しているなら、使用時に使用者の前方に向けられることを意図した端部に向けて幾らか変位して設けられることができる。
【００９９】
スリット９２５は吸収性物品のカバー層の一方または両方を通して作られることができる。更に、吸収層は吸収層と一緒にスリット形成されることができる流体輸送層、及び／または流体貯蔵層を含むことができる。
【０１００】
この発明による吸収層の凹状回転ロールにより実施される形状付与が図９−１１に示されている。もちろん、これに代えて吸収層を凹状折り曲げ板上またはある角度で置かれた二つの普通の回転円筒ロール上を通過させることにより吸収層の種々の部分の形状付与及び結合を完成することもできる。
【０１０１】
図１２に二つのスリット１２２５′，１２２５′′を持つ吸収層１２２４が示されている。吸収層１２２４は凹状回転ロールの上を移動され、その結果として各スリット１２２５′，１２２５′′と吸収層１２２４上の対応する側縁１２０９，１２１０との間のバンド形領域１２６１，１２６２が吸収層１２２４の縦中心線１２２８に向いた矢印Ａの方向に移動させられている。形状付与前は、吸収層１２２４は長方形であり、それは図に連続線で示されている。形状付与後、層１２２４は一点鎖線で示された計画形状をとる。従って、吸収層１２２４は形状付与後、曲がった側縁１２０９，１２１０を持つ。バンド形領域１２６１，１２６２はスリット１２２５′，１２２５′′間のバンド形領域１２６３の下に移動されるか、または中央バンド形領域１２６３の上に配置されることができる。形状付与された吸収層１２２４は吸収性物品内に配置されるので、これは流体透過性カバー層に最も接近した、または流体不透過性カバー層に最も接近した中央バンド形領域１２６３を持ってなされることができる。
【０１０２】
図１３−１６は図式的にどのようにこの発明による吸収層１３２４がスリット形成されかつ形状付与されるかを示す。図１３は縦側縁１３０９，１３１０と横端縁１３１１，１３１２を持つ長方形の平坦な吸収層１３２４を示し、この層内に貫通スリット１３２５が配置されている。スリット１３２５は側縁１３０９，１３１０に平行に配置されている。スリット１３２５の両側に、スリット１３２５から離れる方向に曲がった圧縮線１３２９の形の曲がった折り曲げ表示が形成されている。圧縮線１３２９はスリット１３２５の各側の部分１３２６の境界を定め、この部分はスリット１３２５とそれぞれの圧縮線１３２９との間に位置している。
【０１０３】
スリット１３２５と圧縮線１３２９との間の部分１３２６は一緒にスリット１３２５とそれぞれの圧縮線１３２９との間の各部分１３２６に二つの尖った末端１３３４，１３３５、この末端点間に長さｌ及び幅ｂを持つボート、または葉形状を持つ領域を形成する。
【０１０４】
圧縮線１３２９が末端１３３４、１３３５間で凸状に曲がっているため、スリット１３２５と圧縮線１３２９との間の部分１３２６は末端１３３４，１３３５からある距離に末端に接近してよりより大きな幅ｂを持つ。圧縮線１３２９は好ましくは図示のように、スリット１３２５周りに縦方向及び横方向の両方で対称的に配置される。しかし、スリット１３２５の異なる部分に沿って異なる曲率半径を持つ圧縮線１３２９を配置することも考えられる。例えば、曲率半径はスリット１３２５の一端１３３４に接近して他端１３３５に接近してよりより大きいことができる。圧縮線１３２９はいずれにしても連続である必要はなく、曲がった折り曲げ線に沿って配置された破線または点圧縮がこれに代えて折り曲げ表示として用いられることができる。もちろんまた折り曲げ線に沿って配置された材料弱化及び切断、または細孔のような他の形式の折り曲げ表示を用いることもできる。
【０１０５】
図１４はスリット１３２５の両側の部分１３２６が圧縮線１３２９に沿って吸収層１３２４の平面から上に折り曲げられたときに見える吸収層１３２４を示す。部分１３２６の上への折り曲げは、例えば吸収層１３２４がスリット１３２５の側の部分１３２６を圧縮線１３２９から真直ぐ上に折り曲げる上向きに突出する部分を持つ回転ロールの上を通過させることにより実行されることができる。
【０１０６】
上への折り曲げ部分１３２６は続いて例えばすき形折り曲げ板により吸収層１３２４の平面に向けて下に折り曲げられる。この発明の幾つかの実施例に対しては下への折り曲げ操作は省かれることができる。例えば、上への折り曲げ部分１３２６は、曲がった折り曲げ縁１３２７が一緒に接近させられた後、衛生ナプキン等にこぶ（ｈｕｍｐ）として知られた狭い立ち上がり部分を一緒に形成することができる。
【０１０７】
図１５は圧縮線１３２９に形成された曲がった折り曲げ縁１３２７を一緒に接近させる方法を示す。複数の連結された吸収層１３２４が回転凹状ロール１３４１上に連続材料ウェブ１３４０として供給される。図はどのように折り曲げ縁１３２７が完全に一緒に接近されるかを示す。これに代えて、略２０ｍｍまでの小さな隙間が折り曲げ縁１３２７間に残されることもできる。
【０１０８】
個々のスリット形成され形状付与された吸収層１３２４は図１５に点線により印された横断分割線１３４２に沿って走行材料ウェブ１３４０から分離される。
【０１０９】
図１６は図１５に示された材料ウェブ１３４０から完全に形状付与された吸収層１３２４が分離されたときにどのようにそれらが見えるかを示す。吸収層１３２４は、切断、折り曲げ及び曲がった折り曲げ縁１３２７を一緒に接近させることにより、縦方向に曲がった形状を与えられている。更に、吸収層１３２４の側縁１３０９，１３１０はスリット１３２５を向いた方向に内向きに曲がっており、従って吸収層１３２４は平面で略砂時計の形状をしている。
【０１１０】
吸収層１３２４に向けて下に折り曲げられたスリット１３２５の両側に位置する部分１３２６を持つ吸収層１３２４を形状付与状態に固定するのが通常は適当である。この固定は例えば接着または溶接により、または吸収層内に含まれた結合剤、例えば熱可塑性繊維を活性化することにより成し遂げられることができる。
【０１１１】
吸収層１３２４の形状の安定化はまた、追加の材料層を、例えば接着または溶接により折り曲げられた吸収層１３２４に固定することにより完成されることができる。かかる追加の材料層は例えば流体透過性カバー層または流体不透過性カバー層、または完成した吸収性物品で補強層として、流体受容層、流体分散層、または別の吸収層として作用する層であることができる。安定化層は吸収層のスリット１３２５の上に、折り曲げ部分１３２６と同じ側に、及び／またはその反対側のいずれかに固定されることができる。
【０１１２】
吸収層１３２４は図示された長方形とは別の初期形状、例えば砂時計形状または長円形状を持つことができる。先に述べたように、数個のスリット１３２５が同じ吸収層１３２４に配置されることができる。スリットは互いに関して異なる層に配置されることができ、互いに完全にまたは部分的に重複する折り曲げ部１３２６を持って置かれることができ、または平面内で分離されることができる。物品の端部にスリット１３２５を配置することにより、これら端部はまた、希望の方式で形状付与されることができる。説明した実施例ではスリットは中央に配置されるように示されているが、もし適当と考えられるなら、一端部に向けて、好ましくは少なくとももし追加の吸収容量が尿吸収を意図しているなら、使用時に使用者の前方に向けられることを意図した端部に向けて、幾らか変位されて位置させることができる。
【０１１３】
スリット１３２５は吸収性物品のカバー層の一方または両方を通して作られることができる。
【０１１４】
図１７は例えば衛生ナプキン等で使用するのに適している吸収層１７２４を示す。吸収層１７２４は縦スリット１７２５を備えており、先に述べたように、スリットの両側に上に折り曲げられた弓形部分１７２６を持つ。折り曲げ部分１７２６の折り曲げ縁１７２７を一緒に接近させることにより、吸収層１７２４は曲がった側縁１７０９，１７１０を持つ縦方向に曲がった形状を与えられている。更に、折り曲げ部分１７２６は吸収層１７２４の平面に向けて下に折り曲げられておらず、それらの部分は吸収層の平面から本質的に直角に立ち上がった状態で一緒に結合されている。この方式で、折り曲げ部分１７２６は狭いアーチ状の立ち上がり部分１７５０を形成し、この立ち上がり部分は吸収層１７２４を含む物品の使用時にそれが使用者の体に対面するように有利には配置されることができる。かかる身体追従立ち上がり部分は、それらが使用者の体に関して吸収性物品の正しい配置を容易とするので、かつそれらが更に体液が使用者の体を離れるや否や排出された体液を捕えて吸収することができるので、有利である。
【０１１５】
図１８−２３はどのようにこの発明による吸収層１８２４が開口され形状付与されるかを図式的に示す。図１８と１９は長方形の平坦な吸収層１８２４を示し、それは縦側縁１８０９，１８１０及び横端縁１８１１，１８１２を持ち、その層内に貫通開口１８２５が配置されている。開口１８２５は側縁１８０９，１８１０に平行に配置され、図１８では開口は開口１８２５内でなお除去される部分、すなわち切り抜き部分１８２９を示す。この開口は取り巻き切断縁１８２７により境界を定められている。
【０１１６】
切り抜き部分１８２９は末端点１８３４，１８３５を持つ二つの尖った末端、及び末端点１８３４，１８３５間に長さＬ１を持つボートまたは葉形状を持ち、取り巻き自由縁１８２３により境界を定められている。
【０１１７】
自由縁１８２３が末端１８３４，１８３５間で凸状に曲がっているために、切断縁１８２７と自由縁１８２３間の重複領域１８２６（図２１）は末端に接近してより尖った末端１８３４，１８３５からある距離に大きな幅を持つ。切断縁１８２７は好ましくは開口１８２５周りに、または切断縁１８２７が一緒に接近させられた後に形成された流体流入溝１８３０周りに、図示のように縦方向及び横方向の両方で対称的に配置されている。しかし、開口１８２５の異なる部分に沿って異なる曲率半径を持つ切断縁１８２７を配置することも考えられる。例えば曲率半径は開口１８２５の一端で他端よりより大きくすることができる。
【０１１８】
図１９は切り抜き部分１８２９が吸収層１８２４から除去されたときに見える吸収層１８２４を示し、これはこの技術分野で既知の多数の方法で行われることができる。
【０１１９】
図２０は切断縁１８２７を一緒に接近させて流体流入溝１８３０を形成する方法を示す。複数の連結された吸収層１８２４が回転凹状ロール１８４１上を連続材料ウェブ１８４０として供給される。
【０１２０】
図はどのように切断縁１８２７が一緒に接近され、狭い流体流入溝１８３０を形成するかを示す。切断縁１８２７をロール１８４１上で一緒に接近させることはまた上述したような方式で吸収層１８２４を三次元で変形する。図２０は吸収層１８２４がロール掛け中及びロール掛け後に、平面で砂時計の形に変形されたことを示す。もちろん切断縁１８２７を一緒に完全に密接させることもでき、そのときは吸収層１８２４の三次元形状付与は成し遂げられるが、流入溝の形成は達成されない。
【０１２１】
個々の形状付与された流体流入溝１８３０を持つ吸収層１８２４は、図２０に点線により印された横断分割線１８４２に沿って走行材料ウェブ１８４０から分離される。
【０１２２】
図２１はこの発明の別の実施例を示し、そこでは切り抜き部分１８２９がロール１８４１の上を移動させられる吸収層１８２４に関して、流体流入溝１８３０の上の吸収層１８２４の上側に適用される。図は流体流入溝１８３０が予め決められた幅を持つ迄ロールの上で一緒に接近させられている切断縁１８２７と同時に連続移動している形成された流体流入溝１８３０の上の吸収層に切り抜き部分が適用されることを示す。切り抜き部分は予め決められた位置に切断縁を固定するために使用されることができる。固定は接着、加熱、溶接または他のこの目的に適した方法により実現されることができる。また切り抜き部分が吸収層にロール側から適用されることもできる。
【０１２３】
上述の切り抜き部分の適用の別の実施例（図示せず）において、切り抜き部分１８２９は、図２０に示された予め決められた寸法に全流体流入溝が既に形成されたとき、ロール掛け後の、流体流入溝１８３０の上の、吸収層１８２４の下側に適用される。
【０１２４】
図２２は図２０または２１に示された材料ウェブ１８４０から吸収層１８２４が分離されたときどのように完全に形状付与された吸収層１８２４が見えるかを示す。吸収層１８２４は切断縁１８２７が一緒に接近させられているため、縦方向に曲がった形状を与えられている。更に、吸収層１８２４の側縁１８０９，１８１０は流体流入溝１８３０を向いた方向に内向きに曲がっており、従って吸収層１８２４は平面で殆ど砂時計形状をしている。
【０１２５】
吸収層１８２４を、吸収層１８２４に対して流体流入溝１８３０の両側に位置した切り抜き部分１８２９の重複部分１８２６を持つ形状付与状態に固定するのが通常適当である。固定は例えば、接着または溶接により、または吸収層に含まれた結合剤、例えば熱可塑性繊維を活性化することにより成し遂げられることができる。吸収層１８２４の形状の安定化はまた、追加の材料層を、例えば接着または溶接により、吸収層１８２４に固定することにより達成されることができる。かかる追加の材料層は例えば流体透過性カバー層または流体不透過性カバー層、または完成した吸収性物品において強化層として、流体受容層、流体分散層、または別の吸収層として作用する層であることができる。安定化層は吸収層の流体流入溝１８３０の上の、切り抜き部分１８２９と同じ側に、及び／またはその反対側のいずれかに固定されることができる。
【０１２６】
図２０−２２に示されたこの発明による吸収層の形状付与は凹状、回転ロールにより実施された。もちろん、これに代えて形状付与及び吸収層に流体流入溝を形成するために切断縁を一緒に接近させることを吸収層を凹状折り曲げ板上に、またはある角度で置かれた二つの回転する通常の円筒ロールの上に通過させることにより達成することもできる。
【０１２７】
吸収層１８２４は示された長方形とは別の初期形状、例えば砂時計形状または長円形状を持ってもよい。幾つかの開口が同じ吸収層１８２４に配置されることもできる。開口は互いに関して異なる層に配置されることができ、切り抜き部分１８２９は互いに完全にまたは部分的に重複して置かれてもよく、または平面内で分離されてもよい。物品の端部に開口を配置することにより、端部はまた、この発明により希望の方式で形状付与されることができる。
【０１２８】
記述した実施例では開口は中央に配置されるように示されているが、もし適当と考えられるなら、開口は一端部に向けて、好ましくは使用時に、少なくとももし切り抜き部分の適用により得られる追加の吸収容量が尿吸収を意図しているなら、使用者の前方に向けられることを意図した端部に向けて、幾らか変位されて設けられることができる。
【０１２９】
開口は吸収性物品の一つまたは両方のカバー層を通して作られることができる。
【０１３０】
図２３は例えば衛生ナプキン等で使用するのに適した吸収層２３２４を示す。吸収層２３２４は縦方向の流体流入溝２３３０を備えており、先に述べたように、流体流入溝２３３０の両側に重複する部分２３２６を持つ切り抜き部分２３２９を持つ。切断縁２３２７を一緒に接近させることにより、吸収層２３２４は曲がった側縁２３０９，２３１０を持つ縦方向に曲がった形状を与えられている。適用された切り抜き部分２３２９は狭い、弓状立ち上がり部２３５０を形成し、それはこの吸収層２３２４を含む物品の使用時にそれが使用者の体に対面するように有利には配置されることができる。かかる身体追従立ち上がり部は、それらが使用者の体に関して吸収性物品の正しい配置を容易とするので、かつそれらが更に体液が使用者の体を離れるや否や排出された体液を捕えて吸収することができるので、有利である。切り抜き部分はまた、図４ｃに示されたように吸収層の他方の側に適用されることもできる。
【０１３１】
図３と４に示された失禁保護体３０１、及び図７と８の衛生ナプキン７０１は弾性部材を備えてもよい。かかる弾性部材は吸収性物品の曲がり及び形状付与に寄与し、また物品の側縁に沿った立ち上がり遮断壁を作るために使用されることができる。しかし、この発明は解剖学的に正しい形状を持つ吸収性物品を完成可能とするので、一般的に弾性部材を用いることは必要ではない。
【図面の簡単な説明】
【０１３２】
【図１】
この発明によるおむつを示す。
【図２ａ】
この発明の第一実施例による図１のおむつを通した線ＩＩａ−ＩＩａに沿った断面を示す。
【図２ｂ】
この発明の第二実施例による図１のおむつを通した線ＩＩｂ−ＩＩｂに沿った断面を示す。
【図３】
この発明による失禁保護体を示す。
【図４】
図３の失禁保護体を通した線ＩＶ−ＩＶに沿った断面を示す。
【図５】
この発明の更なる実施例によるおむつを示す。
【図６】
図５のおむつを通した線ＶＩ−ＶＩに沿った断面を示す。
【図７】
この発明による衛生ナプキンを示す。
【図８】
図７の衛生ナプキンを通した線ＶＩＩＩ−ＶＩＩＩに沿った断面を示す。
【図９】
この発明による吸収体で使用するための吸収層を示す。
【図１０】
この発明による吸収層を形成する方法を示す。
【図１１】
この発明による完全に形状付与された吸収層を示す。
【図１２】
この発明の代替実施例による吸収層を示す。
【図１３】
この発明による吸収体で使用するための更なる吸収層を示す。
【図１４】
第一折り曲げ工程後に見える図１３の吸収層を示す。
【図１５】
図１３と１４に示された種類の吸収層に形状付与する方法を示す。
【図１６】
図１３と１４に示された種類の完全に形状付与された吸収層を示す。
【図１７】
立ち上がり部を持つ吸収層を示す。
【図１８】
この発明による吸収体で使用するための更なる吸収層を示す。
【図１９】
切り抜き部分の除去後に見える図１８の吸収層を示す。
【図２０】
この発明による吸収層に形状付与する方法を示す。
【図２１】
この発明によるロール掛けと関連して切抜き部分を適用した吸収層に形状付与する方法を示す。
【図２２】
切り抜き部分を適用した、図７または８の方法により形状付与された吸収層を示す。
【図２３】
切り抜き部分を適用した完全に形状付与された吸収層を示す。
【図１】
2004533307.tif 000003
【図２ａ】
2004533307.tif 000004
【図２ｂ】
2004533307.tif 000005
【図３】
2004533307.tif 000006
【図４】
2004533307.tif 000007
【図５】
2004533307.tif 000008
【図６】
2004533307.tif 000009
【図７】
2004533307.tif 000010
【図８】
2004533307.tif 000011
【図９】
2004533307.tif 000012
【図１０】
2004533307.tif 000013
【図１１】
2004533307.tif 000014
【図１２】
2004533307.tif 000015
【図１３】
2004533307.tif 000016
【図１４】
2004533307.tif 000017
【図１５】
2004533307.tif 000018
【図１６】
2004533307.tif 000019
【図１７】
2004533307.tif 000020
【図１８】
2004533307.tif 000021
【図１９】
2004533307.tif 000022
【図２０】
2004533307.tif 000023
【図２１】
2004533307.tif 000024
【図２２】
2004533307.tif 000025
【図２３】
2004533307.tif 000026
【国際公開パンフレット】
2004533307.tif 000027
2004533307.tif 000028
2004533307.tif 000029
2004533307.tif 000030
2004533307.tif 000031
2004533307.tif 000032
2004533307.tif 000033
2004533307.tif 000034
2004533307.tif 000035
2004533307.tif 000036
2004533307.tif 000037
2004533307.tif 000038
2004533307.tif 000039
2004533307.tif 000040
2004533307.tif 000041
2004533307.tif 000042
2004533307.tif 000043
2004533307.tif 000044
2004533307.tif 000045
2004533307.tif 000046
2004533307.tif 000047
2004533307.tif 000048
2004533307.tif 000049
2004533307.tif 000050
2004533307.tif 000051
2004533307.tif 000052
2004533307.tif 000053
2004533307.tif 000054
2004533307.tif 000055
2004533307.tif 000056
2004533307.tif 000057
2004533307.tif 000058
2004533307.tif 000059
2004533307.tif 000060
2004533307.tif 000061
2004533307.tif 000062
2004533307.tif 000063
2004533307.tif 000064
2004533307.tif 000065
2004533307.tif 000066
2004533307.tif 000067
2004533307.tif 000068
2004533307.tif 000069
2004533307.tif 000070
2004533307.tif 000071
2004533307.tif 000072
2004533307.tif 000073
2004533307.tif 000074
2004533307.tif 000075
2004533307.tif 000076
2004533307.tif 000077
2004533307.tif 000078
2004533307.tif 000079
2004533307.tif 000080
2004533307.tif 000081
2004533307.tif 000082
2004533307.tif 000083
2004533307.tif 000084
2004533307.tif 000085
2004533307.tif 000086
2004533307.tif 000087
2004533307.tif 000088
2004533307.tif 000089
2004533307.tif 000090
【手続補正書】
【提出日】平成15年7月8日(2003.7.8)
【手続補正１】
【補正対象書類名】特許請求の範囲
【補正対象項目名】全文
【補正方法】変更
【補正の内容】
【特許請求の範囲】
【請求項１】
縦方向と横方向を持ち、かつカバー（１０２，１０３）内に収容された吸収体（１０４）を含む吸収性物品であって、更にカバー（１０２，１０３）が流体透過性表面（１０２）と流体不透過性表面（１０３）を持ち、更に吸収体（１０４）が第一切断縁（１２６）と第二切断縁（１２７）を持つ貫通スリットを示す少なくとも一つの吸収層（１２４）を含むものにおいて、吸収層が二つの切断縁（１２６，１２７）の両側の材料がスリットに対して本質的に直角の方向に移動された結果として生じた曲がった形状を持つこと及び切断縁（１２６，１２７）がこの移動した位置に固定されることを特徴とする吸収性物品。
【請求項２】
二つの切断縁は、弓状であり、二つの切断縁が物品の縦方向に本質的に平行に走る位置に固定され、その結果として吸収層（１２４）が平面で砂時計形状を持ち、空間的に曲げられたことを特徴とする請求項１に記載の吸収性物品。
【請求項３】
第一切断縁（１２６）に沿って位置する第一領域（１３０）が第二切断縁（１２７）に沿って位置する第二領域（１３１）と重複するように配置され、重複領域（１２９）が少なくとも一つの弓状に曲がった縁を持つことを特徴とする請求項１に記載の吸収性物品。
【請求項４】
吸収層（１２４）が第一スリットに本質的に平行な第二スリットを少なくとも示し、更に各スリットが第一切断縁（５２６′，５２６′′）と第二切断縁（５２７′，５２７′′）を示し、これらの切断縁が互いに関して吸収層（５２４）が各スリットに沿って少なくとも一つの重複領域（５２９）を示すような態様で対として変位するように配置され、更に各スリットに沿った重複領域が弓状に曲がった縁を持つことを特徴とする請求項３に記載の吸収性物品。
【請求項５】
重複領域が吸収層（７２４）の三つの重複層を持つ領域（７６５）を形成することを特徴とする請求項４に記載の吸収性物品。
【請求項６】
重複領域（１３０，１３１）が互いに固定されていることを特徴とする請求項３−５のいずれか一つに記載の吸収性物品。
【請求項７】
開口されかつ形状付与される吸収層（１８２４）が切断縁（１８２７）を持ち、それが、弓状でありかつスリットにより形成された開口（１８２５）を画定することを特徴とする請求項１に記載の吸収性物品。
【請求項８】
吸収層（１８２４）が、吸収層から除去されかつその上に適用された切り抜き部分（１８２９）を持ち、吸収層（１８２４）に対して置かれる切り抜き部分（１８２９）のそれらの部分が重複部（１８２６）を構成することを特徴とする請求項７に記載の吸収性物品。
【請求項９】
物品が二つの端部（１０６，１０７）と、これら端部（１０６，１０７）間に位置した股部（１０８）を示し、この股部が端部（１０６，１０７）より小さな横方向の延長部を持ち、更にスリットが少なくとも主として股部（１０８）に配置されていることを特徴とする請求項１から８のいずれか一つに記載の吸収性物品。
【請求項１０】
スリットが物品の縦方向に延びることを特徴とする請求項１から９のいずれか一つに記載の吸収性物品。
【請求項１１】
切断縁が互いに関して変位されて配置され、更に相互に変位された切断縁（１２６，１２７）が互いから０−２０ｍｍの最大距離に位置していることを特徴とする請求項１から１０のいずれか一つに記載の吸収性物品。
【請求項１２】
吸収層（１２４）が安定化手段により予め決められた形状に固定されて配置されることを特徴とする請求項１から１１のいずれか一つに記載の吸収性物品。
【請求項１３】
安定化手段が吸収層（１２４）にしっかりと取り付けられて配置された安定化層（１２２）であることを特徴とする請求項１２に記載の吸収性物品。
【請求項１４】
安定化層（１２２）が吸収体（１０４）とカバーの流体透過性表面（１０２）との間の距離層を構成することを特徴とする請求項１３に記載の吸収性物品。
【請求項１５】
距離層（１２２）が多孔性流体受容層であることを特徴とする請求項１４に記載の吸収性物品。
【請求項１６】
安定化手段が吸収層（１２４）の一部である結合剤であることを特徴とする請求項１２に記載の吸収性物品。
【請求項１７】
結合剤が熱可塑性繊維からなることを特徴とする請求項１６に記載の吸収性物品。
【請求項１８】
安定化手段が接着剤であることを特徴とする請求項１２に記載の吸収性物品。
【請求項１９】
安定化手段が吸収層（１２４）の重複領域間の機械的固定を含むことを特徴とする請求項１２に記載の吸収性物品。
【請求項２０】
スリットが物品のカバーを通して延びることを特徴とする請求項１から１９のいずれか一つに記載の吸収性物品。
【請求項２１】
物品が流体透過性カバー層と流体不透過性カバー層を含み、更にスリットが流体透過性カバー層を通して延びることを特徴とする請求項１９に記載の吸収性物品。
【請求項２２】
吸収層（１２４）が０．２−１．０ｇ／ｃｍ３の密度を持つセルロースフラッフパルプの層であることを特徴とする請求項１から２１のいずれか一つに記載の吸収性物品。
【請求項２３】
物品が子供のためのおむつ（１０１）であり、スリットが１５−４０センチメートルの末端点（１３４，１３５）間の長さ（ｌ）を持つことを特徴とする請求項１から２２のいずれか一つに記載の吸収性物品。
【請求項２４】
物品が成人のためのおむつ（１０１）であり、スリットが２０−６０センチメートル、好ましくは約３０センチメートルの末端点（１３４，１３５）間の長さ（ｌ）を持つことを特徴とする請求項１から２２のいずれか一つに記載の吸収性物品。
【請求項２５】
物品が衛生ナプキン（７０１）または失禁保護体（３０１）であり、スリットが１０−４０センチメートル、好ましくは約１５センチメートルの末端点（３３４，３３５；７３４，７３５）間の長さ（ｌ）を持つことを特徴とする請求項１から２２のいずれか一つに記載の吸収性物品。
【請求項２６】
吸収層（１２４）のための基材が本質的に平坦な長方形素材であることを特徴とする請求項１から２５のいずれか一つに記載の吸収性物品。
【請求項２７】
請求項１から２４のいずれか一つによる吸収性物品で用いるための吸収層（９２４）を製造する方法であって、更に吸収層（９２４）が少なくとも一つの貫通スリット（９２５）を備えており、かくして第一切断縁（９２６）と第二切断縁（９２７）を形成するものにおいて、スリット形成された吸収層（９２４）が凹状または凸状表面の上に導かれ、それにより切断縁（９２６，９２７）がスリット（９２５）に対して本質的に直角の方向に移動されることを特徴とする方法。
【請求項２８】
表面が凹状表面であり、それにより切断縁（９２６，９２７）が互いを越えて内向き方向に重複態様で移動され、それによりスリット（９２５）に沿って少なくとも一つの曲がった縁を持つ重複領域（９２９）が形成されることを特徴とする請求項２７に記載の方法。
【請求項２９】
凹状または凸状表面が回転ロール（９４１）上の表面であることを特徴とする請求項２７または２８に記載の方法。
【請求項３０】
凹状または凸状表面が折り曲げ板の上の表面であることを特徴とする請求項２７または２８に記載の方法。
【請求項３１】
吸収層（９２４）が連続的に走行するウェブ（９４０）で製造され、このウェブから個々の吸収層（９２４）が分離されることを特徴とする請求項２７から３０のいずれか一つに記載の方法。
【請求項３２】
スリット形成及びスリット（９２５）の各側に位置する領域（９３０，９３１）の移動後の、吸収層（９２４）の形状が安定化層と一緒に吸収層（９２４）を結合することにより固定されることを特徴とする請求項２７から３１のいずれか一つに記載の方法。
【請求項３３】
スリット形成及び重複後の吸収層（９２４）の形状が吸収層（９２４）の一部である結合剤の活性化により固定されることを特徴とする請求項２７から２９のいずれか一つに記載の方法。
【請求項３４】
結合剤が熱可塑性繊維を含み、吸収層（９２４）の形状が吸収層（９２４）の加熱及び続いての冷却により安定化されることを特徴とする請求項３３に記載の方法。
【国際調査報告】
2004533307.tif 000091
2004533307.tif 000092